(57)【特許請求の範囲】
【請求項１】
ハウジングと、このハウジングに設けられた、回路基板への取り付けを行う底面部と、この底面部から直立して形成された、一方の側面に開口部が設けられたコ字状の側壁と、前記側壁に囲まれた収納部と、この収納部において、前記開口部と対向する内壁面に配設された固定接点と、この固定接点から前記底面部側に突設して導出された外部端子と、前記ハウジングの開口部から突出して押し込み可能に設けられた操作部材と、この操作部材を前記ハウジングの開口部から突出する方向へ付勢する弾性部材と、前記操作部材又は弾性部材が当接すると共に、前記ハウジングの収納部を覆うように前記ハウジングの側壁と係合する側板を有する取付フレームとを備え、前記外部端子及び前記取付フレームの前記ハウジングの底面部側の端部には、平面状からなる回路基板への表面実装用の取付面が形成されており、前記ハウジングと前記取付フレームは、前記弾性部材の弾性により互いに反発する方向へ付勢され、前記ハウジングの側壁には一端部に傾斜面が設けられた突部からなる係合部が形成され、前記取付フレームの側板には一端部に傾斜面が設けられた孔部からなる係合部が形成され、前記ハウジングの側壁に設けられた係合部と前記取付フレームの側板に設けられた係合部とが係合されると共に、前記ハウジングの側壁に設けられた係合部と前記取付フレームの側板に設けられた係合部とが、前記突部に設けられた傾斜面と前記孔部に設けられた傾斜面とが摺接可能となるように係合され、前記弾性部材の付勢力により前記ハウジングの係合部が前記傾斜面に沿って前記取付フレームの取付面方向へ片寄せされることにより、前記外部端子の回路基板への取付面と前記取付フレームの回路基板への取付面とが面一となる方向へ案内されることを特徴とする押釦スイッチ。
【請求項２】
前記ハウジングの側壁には、前記取付面側で取付面に平行した第１の直線部と、この第１の直線部に対向すると共に、前記操作部材が突出する方向とは反対方向に幅狭となる第１の傾斜面とを有する係合突部を形成し、且つ、前記取付フレームの側板には、前記第１の直線部に対応した第２の直線部と、前記第１の傾斜面に対応した第２の傾斜面とを有する係合孔部を形成し、前記弾性部材の付勢力で前記第１及び第２の傾斜面が摺接することにより前記第１及び第２の直線部が当接して、前記外部端子の取付面と前記取付フレームの取付面が面一となるように形成したことを特徴とする請求項１記載の押釦スイッチ。
【請求項３】
前記第１の直線部と前記外部端子の前記取付面までの距離と、前記第２の直線部と前記取付フレームの前記取付面までの距離とが同一距離となるように形成されていることを特徴とする請求項２記載の押釦スイッチ。
【請求項４】
前記弾性部材は、ドーム状のラバースプリングで形成したことを特徴とする請求項１乃至３の何れかに記載の押釦スイッチ。
【請求項５】
前記操作部材を、ラバーステムで形成すると共に、このラバーステムの鍔部を前記弾性部材として形成したことを特徴とする請求項１乃至３の何れかに記載の押釦スイッチ。
【発明の詳細な説明】
【０００１】
【発明の属する技術分野】
本発明は、各種電子機器の操作用スイッチとして使用される押釦スイッチの構造に係り、特に回路基板への表面実装用として使用される横押し操作タイプの押釦スイッチの構造に関する
【０００２】
【従来の技術】
従来の表面実装用として使用される横押し操作タイプの押釦スイッチの構造としては、合成樹脂などの絶縁材で内部に横向きに収納部を有する箱状に形成されたハウジングと、このハウジングの収納部の内底面に配設された導電性の金属材からなる固定接点と、この固定接点上に対向して配設された、同じく導電性の金属材からドーム状に形成された可動接点と、前記ハウジングの収納部内に横押し方向へ摺動可能に配設され、前記可動接点を押圧して前記固定接点と接離させる操作部材と、前記ハウジングの収納部を覆うようにハウジングに取り付けられた取付フレームとを備え、前記ハウジングの底面側に突設されて平面状の取付面を有する外部端子と、前記取付フレームの下端側に設けられて平面状の取付面を有する取付脚とを、回路基板の同一の平面上に半田付けして固定するように形成した構造のものが一般的に知られている。
【０００３】
また、これとは別に、前記可動接点をラバースプリングの下端部にカーボン接点を固着することにより形成し、前記ハウジングの収納部内に配設された前記操作部材によりラバースプリングの頂部を押圧して、前記ラバースプリングの反転動作に伴って、前記可動接点を前記固定接点と接離するように形成した構造のものも一般的に知られている。
【０００４】
【発明が解決しようとする課題】
しかしながら、上述した従来の横押し操作タイプの押釦スイッチの構造においては、前記ハウジングと前記取付フレームとは、前記ハウジングに形成した突起部と、前記取付フレームに形成した窓孔部とによって掛け止めさせることによって取り付けられていることから、前記突起部と前記窓孔部との寸法差によりガタが発生し、スイッチの実装面の高さ寸法がばらついて、前記外部端子の取付面と前記取付フレームの取付面とを面一にすることができないという問題があった。
【０００５】
したがって、本発明では上述した問題点を解決し、簡単に組立ができると共に、外部端子の取付面と取付フレームの取付面とを面一にすることが可能で、回路基板上への表面実装を確実に行うことができる横押し操作タイプの押釦スイッチの構造を提供することを目的とする。
【０００６】
【課題を解決するための手段】
上記課題を解決するために本発明では第１の手段として、ハウジングと、このハウジングに設けられた、回路基板への取り付けを行う底面部と、この底面部から直立して形成された、一方の側面に開口部が設けられたコ字状の側壁と、前記側壁に囲まれた収納部と、この収納部において、前記開口部と対向する内壁面に配設された固定接点と、この固定接点から前記底面部側に突設して導出された外部端子と、前記ハウジングの開口部から突出して押し込み可能に設けられた操作部材と、この操作部材を前記ハウジングの開口部から突出する方向へ付勢する弾性部材と、前記操作部材又は弾性部材が当接すると共に、前記ハウジングの収納部を覆うように前記ハウジングの側壁と係合する側板を有する取付フレームとを備え、前記外部端子及び前記取付フレームの前記ハウジングの底面部側の端部には、平面状からなる回路基板への表面実装用の取付面が形成されており、前記ハウジングと前記取付フレームは、前記弾性部材の弾性により互いに反発する方向へ付勢され、前記ハウジングの側壁には一端部に傾斜面が設けられた突部からなる係合部が形成され、前記取付フレームの側板には一端部に傾斜面が設けられた孔部からなる係合部が形成され、前記ハウジングの側壁に設けられた係合部と前記取付フレームの側板に設けられた係合部とが係合されると共に、前記ハウジングの側壁に設けられた係合部と前記取付フレームの側板に設けられた係合部とが、前記突部に設けられた傾斜面と前記孔部に設けられた傾斜面とが摺接可能となるように係合され、前記弾性部材の付勢力により前記ハウジングの係合部が前記傾斜面に沿って前記取付フレームの取付面方向へ片寄せされることにより、前記外部端子の回路基板への取付面と前記取付フレームの回路基板への取付面とが面一となる方向へ案内されることを特徴とする。
【０００７】
また、第２の手段として、前記ハウジングの側壁には、前記取付面側で取付面に平行した第１の直線部と、この第１の直線部に対向すると共に、前記操作部材が突出する方向とは反対方向に幅狭となる第１の傾斜面とを有する係合突部を形成し、且つ、前記取付フレームの側板には、前記第１の直線部に対応した第２の直線部と、前記第１の傾斜面に対応した第２の傾斜面とを有する係合孔部を形成し、前記弾性部材の付勢力で前記第１及び第２の傾斜面が摺接することにより前記第１及び第２の直線部が当接して、前記外部端子の取付面と前記取付フレームの取付面が面一となるように形成したことを特徴とする。
【０００８】
また、第３の手段として、前記第１の直線部と前記外部端子の前記取付面までの距離と、前記第２の直線部と前記取付フレームの前記取付面までの距離とが同一距離となるように形成されていることを特徴とする。
【０００９】
また、第４の手段として、前記弾性部材は、ドーム状のラバースプリングで形成したことを特徴とする。
【００１０】
また、第５の手段として、前記操作部材を、ラバーステムで形成すると共に、このラバーステムの鍔部を前記弾性部材として形成したことを特徴とする。
【００１１】
【発明の実施の形態】
以下、本発明の押釦スイッチの１実施例を図１乃至図３に示す。図１はハウジングの一部を破断した状態の押釦スイッチの平面図、図２は押釦スイッチの正面図、図３は同じく側面図である。
【００１２】
ハウジング１は、合成樹脂などの絶縁材で形成され、有底で側面が開口されて箱状に形成された収納部１ａを有している。
また、前記ハウジング１には、黄銅などの導電性の金属材で形成された固定端子２が、インサート成形などの方法で一体的に成形され配設されたものとなっている。
この固定端子２は、前記ハウジング１に埋設され、前記ハウジング１の外方へと突設された外部端子２ａと、前記収納部１ａの内壁面に表出され、一定の隙間を保持して配設された一対の固定接点２ｂとより構成されている。
【００１３】
また、前記ハウジング１の外方へ突設された外部端子２ａは、前記ハウジング１の底面部で側方に折り曲げられ、前記ハウジング１の底面と面一となるような取付面２ｃが形成されている。この外部端子２ａの先端が前記ハウジング１の底面部で折り曲げられて前記取付面２ｃが形成されていることから、前記ハウジング１を使用した押釦スイッチの回路基板上への表面実装が可能となっている。
【００１４】
また、前記ハウジング１の対向する両側壁部には、後述する取付フレーム６の係合孔部６ｄと係合する係合突部１ｂが形成されている。この係合突部１ｂには、前記外部端子２ａの取付面２ｃに平行な第１の直線部１ｃと、この第１の直線部１ｃに対向すると共に、前記収納部１ａが開口する方向とは反対方向に幅狭となる第１の傾斜面１ｄとが形成されている。前記第１の直線部１ｃと第１の傾斜面１ｄを有する前記係合突部１ｂが、後述する取付フレーム６の係合孔部６ｄと係合することにより、前記外部端子２の取付面２ｃと後述する取付フレーム６の取付面６ｃとを面一に一致させることができるものとなっている。
【００１５】
ラバースプリング３は、可撓性のあるエラストマーまたはシリコーンゴムなどから形成され、外形が下面開口状のドーム形で、後述する操作部材５の押し込み、および復帰の際に屈曲されて弾性力が付与されるスカート部３ａと、このスカート部３ａの上部に形成された作動部３ｂからなっている。
この作動部３ｂの下面側には作動突部３ｃが形成され、この作動突部３ｃの先端には、導電性のカーボンなどからなる可動接点４が固着されており、この可動接点４が前記固定接点２ｂと対向した状態で、前記ラバースプリング３が前記収納部１ａの内壁面に配設されたものとなっている。
【００１６】
操作部材５は、合成樹脂などの絶縁材で略矩形状に形成され、その上面側には、人の指などで操作される一回り小さな平面状の操作部５ａが設けられている。この操作部５ａに対向する下面側には、前記ラバースプリング３の作動部３ｂ上面へ当接して、前記ラバースプリング３を前記固定接点２ｂ側へ屈曲させる、押圧面部５ｂが形成されている。また、前記操作部材５の周面部には鍔部５ｃが形成されており、前記操作部材５の移動復帰時に、この鍔部５ｃが後述する取付フレーム６に当接することで、前記操作部材５が前記ハウジング１から飛び出すのを規制している。
【００１７】
また、前記ラバースプリング３は弾性部材として前記ハウジング１の収納部１ａに収納されており、前記操作部材５は前記ラバースプリング３によって常時ハウジング１から突出する方向へ付勢されたものとなっている。そして、前記ラバースプリング３の付勢力により、前記操作部材５の鍔部５ｃが後述する取付フレーム６の内面に押圧されるものとなっている。
【００１８】
取付フレーム６は、平板状の金属板で略Ｕ字状に形成されており、この取付フレーム６の中央には前記操作部材５の操作部５ａが挿通される挿通孔６ａが設けられている。この取付フレーム６が、前記ハウジング１の前記収納部１ａの開口部に取り付けられることにより、前記ラバースプリング３、及び前記操作部材５の飛び出しを防止している。また、前記取付フレーム６の対向する一対の側板６ｂの下端には、側方に水平に折り曲げられて前記ハウジング１の底面と面一となるような取付面６ｃが形成されており、この取付面６ｃを設けることにより押釦スイッチの回路基板上への表面実装が可能となっている。
【００１９】
また、前記取付フレーム６の対向する一対の側板６ｂには、前記ハウジング１の係合突部１ｂと係合する係合孔部６ｄが形成されている。この係合孔部６ｄには、前記側板６ｂの取付面６ｃに平行な第２の直線部６ｅと、この第２の直線部６ｅに対向すると共に、前記操作部材５が突出する方向とは反対方向に幅狭となる第２の傾斜面６ｆとが形成されている。前記第２の直線部６ｅ及び前記第２の傾斜面６ｆを有する前記係合孔部６ｄが、前記ハウジング１の前記第１の直線部１ｃ及び第１の傾斜面１ｄを有する前記係合突部１ｂと係合することにより、前記外部端子２ａの取付面２ｃと前記取付フレーム６の取付面６ｃとを面一に一致させることができるものとなっている。
【００２０】
上記構成の押釦スイッチを組み立てるには、まず、前記ハウジング１の収納部１ａ内の前記固定接点２ｂに対向させて、前記可動接点４が固着された前記ラバースプリング３を収納する。次に、前記ラバースプリング３の作動部３ｂ上に前記操作部材５を当接した状態で配置する。次に、前記操作部材５の操作部５ａを前記挿通口６ａから突出させた状態で前記ハウジング１の収納部１ａを覆うように前記取付フレーム６を前記ハウジング１に取り付けることで組立が完了する。
【００２１】
この場合、前記ハウジング１と前記取付フレーム６との係合は、前記ハウジング１に設けられた前記係合突部１ｂと前記取付フレーム６に設けられた前記係合孔部６ｄとによって係合されるものとなっている。この時、前記ハウジング１の前記係合突部１ｂには、前記取付面２ｃ側で取付面２ｃに平行した前記第１の直線部１ｃと、前記第１の直線部１ｃに対向すると共に、前記操作部５ａが突出する方向とは反対方向に幅狭となる前記第１の傾斜面１ｄとが形成されており、また、前記取付フレーム６の前記係合孔部６ｄには、前記第１の直線部１ｃに対応した第２の直線部６ｅと、前記第１の傾斜面１ｄに対応した第２の傾斜面６ｆとが形成されている。
【００２２】
前記ハウジング１と前記取付フレーム６との間には、弾性部材である前記ラバースプリング３が前記操作部材５を介して配設されており、前記ハウジング１と前記取付フレーム６とは前記ラバースプリング３の弾性により、互いに反発する方向へ付勢された状態となっていることから、この付勢力により前記第１及び第２の傾斜面１ｄ、６ｆが互いに摺接することとなる。この時、前記ハウジング１の前記係合突部１ｂの第１の傾斜面１ｄは、前記取付フレーム６の前記係合孔部６ｄの第２の傾斜面６ｆの幅狭となる方向へ摺接移動することから、前記係合突部１ｂが前記第２の傾斜面６ｆに沿って前記取付フレーム６の取付面６ｃ方向へ片寄せされることにより、前記係合突部１ｂの第１の直線部１ｃと前記係合孔部６ｄの第２の直線部６ｅが当接することとなる。
【００２３】
また、前記第１の直線部１ｃと前記外部端子２ａの前記取付面２ｃまでの距離と、前記第２の直線部６ｅと前記取付フレーム６の前記取付面６ｃまでの距離とは同一距離となるように形成されており、前記第１の直線部１ｃと前記第２の直線部６ｅとが当接することにより、前記外部端子２ａの取付面２ｃと前記取付フレーム６の取付面６ｃとが面一となるようになっている。
【００２４】
上記実施例においては、前記外部端子２ａが突設された前記ハウジング１と、前記ハウジング１と係合する前記取付フレーム６との間に弾性部材である前記ラバースプリング３を介在し、前記外部端子２ａ及び前記取付フレーム６の下端に、平面状からなる回路基板への表面実装用の前記取付面１ｃ、６ｃを形成し、前記ハウジング１と前記取付フレーム６との係合部に、前記ラバースプリング３の付勢力により摺接可能に係合され、前記外部端子２ａの回路基板への前記取付面２ｃと前記取付フレーム６の回路基板への前記取付面６ｃとが面一となる方向へ案内する前記第１及び第２の傾斜面１ｄ、６ｆを形成したことから、前記ハウジング１と前記取付フレーム６との係合部の寸法差によるガタの発生で、スイッチの実装面の高さ寸法がばらつくことがなくなり、前記外部端子２ａの取付面２ｃと前記取付フレーム６の取付面６ｃとを面一にすることが可能となり、回路基板上への表面実装を確実に行うことができるものとなっている。
【００２５】
また、前記ハウジング１と前記取付フレーム６との係合は、前記ハウジング１に設けられた前記係合突部１ｂと前記取付フレーム６に設けられた前記係合孔部６ｄとによって係合されるものとなっていることから、簡単に組立ができると共に、前記係合突部１ｂと前記係合孔部６ｄに設けられた前記第１及び第２の直線部１ｃ，６ｅと前記第１及び第２の傾斜面１ｄ、６ｆとによって容易に前記外部端子２ａの取付面２ｃと前記取付フレーム６の取付面６ｃとを面一にすることができる。
【００２６】
また、前記第１の直線部１ｃと前記外部端子２ａの前記取付面２ｃまでの距離と、前記第２の直線部６ｅと前記取付フレーム６の前記取付面６ｃまでの距離とが同一距離となるように形成されていることから、組立時に容易に、前記外部端子２ａの取付面２ｃと前記取付フレーム６の取付面６ｃとを面一にすることが可能となっている。
【００２７】
また、前記操作部材５を付勢する弾性部材と、前記ハウジング１と前記取付フレーム６との間に介在する弾性部材とを、ドーム状の前記ラバースプリング３で兼用して構成したことから、構成が簡易となり、安価対応が可能となっている。
【００２８】
図４乃至図６は本発明の押釦スイッチの他の実施例を示し、図４はハウジングの一部を破断した状態の押釦スイッチの平面図、図５は押釦スイッチの正面図、図６は同じく側面図である。尚、図１乃至図３で説明した同一部品については同一符号を付してその説明を省略する。
【００２９】
上記実施例との相違点は、合成樹脂からなる前記操作部材５の代わりに、可撓性のあるエラストマーまたはシリコーンゴムなどからなるラバーステム７を使用し、このラバーステム７を前記ハウジング１と前記取付フレーム６との間に介在させて弾性部材として構成した点と、前記ラバースプリング３の代わりに、金属板からなるドーム状の可動接点８を使用した点である。
【００３０】
前記ラバーステム７は、可撓性のあるエラストマーまたはシリコーンゴムなどから形成されており、このラバーステム７にはその上面側に、人の指などで操作される方形状の操作部７ａが設けられている。この操作部７ａに対向する下面側には、前記可動接点８のドーム状の頂部に当接し、この頂部を前記固定接点２ｂ側へ屈曲させる、押圧突部７ｂが形成されている。また、前記ラバーステム７の周面部には鍔部７ｃが形成されており、この鍔部７ｃが前記ハウジング１の開口された収納部１ａの上面と前記取付フレーム６の内面との間に挟持されて、前記挿通孔６ａから前記操作部７ａが突出された状態で前記ハウジング１内に収納されている。また、前記ハウジング１の上面には押圧突起１ｅが設けられており、この押圧突起１ｅで前記ラバーステム７の鍔部７ｃを押圧することで前記ラバーステム７の位置決め及び飛び出し防止を行っている。
【００３１】
また、前記ラバーステム７は弾性部材として前記ハウジング１と前記取付フレーム６との間に前記鍔部７ｃが挟持されており、前記鍔部７ｃの弾性によって互いに反発する方向へ付勢された状態となっていることから、この付勢力により前記第１及び第２の傾斜面１ｄ、６ｆが互いに摺接して係合することとなる。この時、前記ハウジング１の前記係合突部１ｂの第１の傾斜面１ｄは、前記取付フレーム６の前記係合孔部６ｄの第２の傾斜面６ｆの幅狭となる方向へ摺接移動することから、前記係合突部１ｂが前記第２の傾斜面６ｆに沿って前記取付フレーム６の取付面６ｃ方向へ片寄せされることにより、前記係合突部１ｂの第１の直線部１ｃと前記係合孔部６ｄの第２の直線部６ｅとが当接することとなる。
【００３２】
上記実施例においても、前記外部端子２ａが突設された前記ハウジング１と、前記ハウジング１と係合する前記取付フレーム６との間に弾性部材である前記ラバーステム７の鍔部７ｃを介在し、前記外部端子２ａ及び前記取付フレーム６の下端に、平面状からなる回路基板への表面実装用の前記取付面２ｃ、６ｃを形成し、前記ハウジング１と前記取付フレーム６との係合部に、前記ラバーステム７の鍔部７ｃの付勢力により摺接可能に係合され、前記外部端子２ａの回路基板への前記取付面２ｃと前記取付フレーム６の回路基板への前記取付面６ｃとが面一となる方向へ案内する前記傾斜面１ｄ、６ｆを形成したことから、前記ハウジング１と前記取付フレーム６との係合部の寸法差によるガタの発生で、スイッチの実装面の高さ寸法がばらつくことがなくなり、前記外部端子２ａの取付面２ｃと前記取付フレーム６の取付面６ｃとを面一にすることが可能となり、回路基板上への表面実装を確実に行うことができるものとなっており、図１乃至図３に示した実施例と同様の効果が得られる。
【００３３】
また、前記操作部材５を、可撓性のある弾性部材である前記ラバーステム７で形成すると共に、このラバーステム７の鍔部７ｃを前記ハウジング１の上面と前記取付フレーム６の内面との間に挟持するようにしたことから、簡易な構造で防塵構造が図れるものとなっている。
【００３４】
【発明の効果】
以上説明したように、本発明の押釦スイッチは、外部端子が突設されたハウジングと、ハウジングと係合する取付フレームとの間に弾性部材を介在し、外部端子及び取付フレームの下端に、平面状からなる回路基板への表面実装用の取付面を形成し、ハウジングと取付フレームとの係合部に、弾性部材の付勢力により摺接可能に係合され、外部端子の回路基板への取付面と取付フレームの回路基板への取付面とが面一となる方向へ案内する傾斜面を形成したことから、ハウジングと取付フレームとの係合部の寸法差によるガタの発生で、スイッチの実装面の高さ寸法がばらつくことがなくなり、外部端子の取付面と取付フレームの取付面とを面一にすることが可能となり、回路基板上への表面実装を確実に行うことができる。
【００３５】
また、ハウジングの側壁には、取付面側で取付面に平行した第１の直線部と、この第１の直線部に対向すると共に、操作部材が突出する方向とは反対方向に幅狭となる第１の傾斜面とを有する係合突部を形成し、且つ、取付フレームの側板には、第１の直線部に対応した第２の直線部と、第１の傾斜面に対応した第２の傾斜面とを有する係合孔部を形成し、弾性部材の付勢力で第１及び第２の傾斜面が摺接することにより第１及び第２の直線部が当接して、外部端子の取付面と取付フレームの取付面が面一となるように形成したことから、簡単に組立ができると共に、係合孔部と係合突部に設けられた第１及び第２の直線部と第１及び第２の傾斜面とによって容易に外部端子の取付面と取付フレームの取付面とを面一にすることができる。
【００３６】
また、第１の直線部と外部端子の取付面までの距離と、第２の直線部と取付フレームの取付面までの距離とが同一距離となるように形成されていることから、組立時に容易に、外部端子の取付面と取付フレームの取付面とを面一にすることが可能となる。
【００３７】
また、弾性部材は、ドーム状のラバースプリングで形成したことから、操作部材を付勢する弾性部材と、ハウジングと取付フレームとの間に介在する弾性部材とを兼用できるため、構成が簡易となり、安価対応が可能となる。
【００３８】
また、操作部材を、ラバーステムで形成すると共に、このラバーステムの鍔部を弾性部材として形成したことから、このラバーステムの鍔部をハウジングの上面と取付フレームの内面との間に挟持することで、簡易な構造で防塵構造が図れる。
【図面の簡単な説明】
【図１】本発明の１実施例であるハウジングの一部を破断した状態を示す押釦スイッチの平面図である。
【図２】本発明の同じく押釦スイッチを示す正面図である。
【図３】本発明の同じく押釦スイッチを示す側面図である。
【図４】本発明の他の実施例であるハウジングの一部を破断した状態を示す押釦スイッチの平面図である。
【図５】本発明の同じく押釦スイッチを示す正面図である
【図６】本発明の同じく押釦スイッチを示す側面図である。
【符号の説明】
１  ハウジング
１ａ  収納部
１ｂ  係合突部
１ｃ  第１の直線部
１ｄ  第１の傾斜面
１ｅ  押圧突起
２  固定端子
２ａ  外部端子
２ｂ  固定接点
２ｃ  取付面
３  ラバースプリング（弾性部材）
３ａ  スカート部
３ｂ  作動部
３ｃ  作動突部
４  可動接点
５  操作部材
５ａ  操作部
５ｂ  押圧面部
５ｃ  鍔部
６  取付フレーム
６ａ  挿通孔
６ｂ  側板
６ｃ  取付面
６ｄ  係合孔部
６ｅ  第２の直線部
６ｆ  第２の傾斜面
７  ラバーステム（弾性部材）
７ａ  操作部
７ｂ  押圧突部
７ｃ  鍔部
８  可動接点
【図１】
0004008648.tif 000002
【図２】
0004008648.tif 000003
【図３】
0004008648.tif 000004
【図４】
0004008648.tif 000005
【図５】
0004008648.tif 000006
【図６】
0004008648.tif 000007